(57)【要約】【課題】本発明は、両面粘着テープの巻き出し端を被接着面に接着しつつ必要な長さに巻き出し切断する両面粘着テープ切断器に関するものである。【解決手段】本発明は、上記問題点を抜本的に改善する両面粘着テープ切断器を提供するものである。両面粘着テープリールから巻き出した両面粘着テープの一方の表面に接着しつつ、同テープの巻き出しに追随して回転する第１ローラーと第２ローラーを備え、第２ローラーを第１ローラーから離間方向へ移動可に支持し、第１ローラーと第２ローラー間に介入する両面粘着テープカッターを備え、テープカッターは第１・第２ローラー間への介入時に上記第２ローラーを離間方向に移動して両面粘着テープを第１・第２ローラー間において緊張せしめるカム手段を備え、該緊張している両面粘着テープ部分にテープカッターの刃先を切り込み切断する構成を有する。【選択図】図１
2005082401.tif 000002
【特許請求の範囲】
【請求項１】
両面粘着テープリールから巻き出した両面粘着テープの一方の表面に接着しつつ同テープの巻き出しに追随して回転する第１ローラーと第２ローラーを並設し、第２ローラーを第１ローラーから離間方向へ移動可に支持し、第１ローラーと第２ローラー間に介入する両面粘着テープカッターを備え、テープカッターは第１・第２ローラー間への介入進行時に上記第２ローラーを離間方向に移動して両面粘着テープを第１・第２ローラー間において緊張せしめるカム手段を備え、該緊張している両面粘着テープ部分にテープカッターの刃先を切り込み切断する構成としたことを特徴とする両面粘着テープ切断器。
【請求項２】
上記離間方向に移動した第２ローラーに係合して、回転を阻止するストッパーを設けたことを特徴とする請求項１記載の両面粘着テープ切断器。
【請求項３】
上記テープカッターの刃は平板刃から成り、該平板刃は山形の刃先を有し、該山形の刃先の頂点で開放するスリットを有することを特徴とする請求項１記載の両面粘着テープ切断器。
【請求項４】
上記  両面粘着テープの切断端部が第２ローラーへ巻き込みを阻止する巻き込み防止棒を有することを特徴とする、請求項１記載の両面粘着テープ切断器。
【発明の詳細な説明】
【技術分野】
【０００１】本発明は、両面粘着テープの巻き出し端を被接着面に接着しつつ、必要な長さに巻き出し切断する両面粘着テープ切断器に関するものである。
【技術背景】
【０００２】従来、両面粘着テープは、使用時に引き出しやすくする為に両面粘着テープの外面に剥離紙を接着しておき、ロール状にしたテープリールが知られており、使用するときは、両面粘着テープをテープリールから手で巻き出し必要な長さをハサミで切り取り、被接着面に接着して事後に剥離紙を剥がしているが、手間がかかり又両面粘着テープと同じ長さの剥離紙が必要でありコスト高となっている。適切な両面粘着テープ用切断器があれば、剥離紙を必要とせずコストも安価となり便利であるが、対象テープが両面粘着テープである為に従来の片面粘着テープの切断器の原理を適用し難く、その開発が希求されている。
【発明の開示】
【発明が解決しようとする課題】
【０００３】本発明は、上記問題点を抜本的に改善する両面粘着テープ切断器を提供するものである。この切断器は両面粘着テープリールから巻き出した両面粘着テープの一方の表面に接着しつつ、同テープの巻き出しに追随して回転する第１ローラーと第２ローラーを備え、第２ローラーを第１ローラーから離間方向へ移動可に支持し、第１ローラーと第２ローラー間に介入する両面粘着テープカッターを備え、テープカッターは第１・第２ローラー間への介入時に上記第２ローラーを離間方向に移動して、両面粘着テープを第１・第２ローラー間において緊張せしめるカム手段を備え、該緊張している両面粘着テープ部分にテープカッターの刃先を切り込み切断する。切断された両面粘着テープの端部が第２ローラーへの巻き込み防止として両面粘着テープ巻き込み防止棒を備える構成を有する。
【発明を実施するための最良の形態】
【実施例１】
【０００４】本発明に係る両面粘着テープ切断器の実施形態を図１乃至図８に基づいて詳述する。図１に示すようにテープホルダー（８）は、両面粘着テープ（９）を巻き出し可に多重巻きしたリール（１８）を保有する。上記テープホルダー（８）の前端付近に中間ローラー（７）と第１ローラー（１）と第２ローラー（６）を設ける。第１・第ローラー（１）（６）はテープホルダー（８）の前端部下面で開口せるテープ繰り出し口（１３）内に左右に並設し、中間ローラー（７）は第２ローラー（６）とリール（１８）間であって且つ第２ローラー（６）の上位に配する。第１・第２ローラー（１）（６）の直上にテープカッター（４）を上下動可に設ける。また第２ローラー（６）は第１ローラー（１）から離間方向に移動可に支持し、第１ローラー（１）は定軸回転可に設ける。第２ローラー（６）の中心部にガイドピン（６ａ）を立て、該ガイドピン（６ａ）をテープホルダー（８）側に設けた長孔（１５）に滑合し、第２ローラー（６）の横移動を案内し、且つ移動量を制限する。
【実施例２】
【０００５】図２に示すようにテープカッター（４）はテープホルダーを形成するケーシングに取り付けたカッターガイド（８ａ）に上下動に支持し、テープカッター（４）の下端に取り付けた平板刃（１６）の刃先（１２ａ）とは反対側端部即ちテープカッター（４）の上端をケーシングの外に突き出しプッシュ操作部（３）を形成している。
又、ケーシングにはテープカッター（４）に係合する復帰用バネ（２）を設け、核バネ（２）の先端をテープカッター（４）に設けたバネ受け（１７）に係合し同テープカッター（４）を上方向へ押し上げている。
このテープカッター（４）の押し上げ時、即ち上昇時においてその平板刃（１６）は上記第１・第２ローラー（１）（６）間に介入した状態で待機している。
この時第２ローラー（６）と平板刃（１６）とは僅かに離間している。
【実施例３】
【０００６】図３に示すようにテープカッター（４）の下端には同カッターの下降操作時（テープ切断前）に第１・第２ローラー（１）（６）間に介入して第２ローラー（６）を押圧して第１ローラー（１）から離間せしめるカム部（５）を備える。第２ローラー（６）に同心に付帯する爪車（１０）はカム部（５）が第１・第２ローラー（１）（６）間に介入して、第２ローラー（６）が離間方向へ移動した時に、両面粘着テープ（９）のテープ繰り出し口（１３）の画成壁端に設けた爪（１４）に係合して第２ローラー（６）の回転を阻止する。
【実施例４】
【０００７】図１に示すように両面粘着テープリール（１８）より巻き出した両面粘着テープ（９）は中間ローラー（７）の円弧面に掛け、更に第２ローラー（６）に掛けてから第２ローラー（６）の下死点付近と第１ローラー（１）の下死点付近間に架橋状態に延出される。よって両面粘着テープ（９）はその片面を中間ローラー（７）の周面（弧面）に、他の片面を第２ローラー（６）の下面に至る周面（弧面）と第１ローラー（１）の下面とに夫々接着しつつ巻き出され、同接着力で同ローラー（７）（６）（１）を追随回転せしめる。又中間ローラー（７）と第２ローラー（６）間に延びるテープ部分（９ａ）は中間ローラー（７）を支点として左右に振れながら第２ローラー（６）を円滑に横移動せしめる。
【実施例５】
【０００８】第１・第２ローラー（１）（６）間に介入するテープカッター（４）の刃（１２ａ）は図７に示すように平板刃（１２）から成り、該平板刃（１２）は山形の刃先（１２ａ）を有し、該山形の刃先（１２ａ）の頂点で開放するスリット（１２ｂ）を有する。
【実施例６】
【０００９】図２に示すようにテープホルダー（８）の側壁に中間ローラー（７）と第２ローラー（６）の該中間にテープ巻き込み防止棒押さえ（１９）を設ける。
同（１９）に支持される巻き込み防止棒（１９ａ）は図８に示すように、第２ローラー（６）の周面中央にテープ巻き込み防止棒案内溝（６ｂ）を有し、同溝を案内としてテープカッター（４）の先端の刃先（１２ａ）の直前迄延出する。このテープ巻き込み棒は弾力を有し第２ローラー（６）と共に移動可にする。【００１０】以下動作につき説明し、構成をより明らかにする。
図２に示すように両面粘着テープリールから巻き出した両面粘着テープ（９）の一方の表面を中間ローラー（７）に接着しつつ巻き出し、この中間ローラー（７）を経て第２ローラー（６）に巻き込み、この第２ローラー（６）の下面（下死点）に両面粘着テープ（９）の他方の表面を接着し、第２ローラー（６）は回転しながらテープの粘着力でローラー移動用長孔（１５）に案内され平板刃（１２）に接近するが平板刃（１２）と第２ローラー（６）の間には移動用長孔（１５）の制限により僅かな空間を保つ。【００１１】次に図３図４に示すように、テープホルダー（８）を手で持ち、これを前傾して第１ローラー（１）を被接着面に押し付けてテープを被接着面に押し付け、この状態でテープホルダー（８）を後退させテープを巻き出しつつ、被接着面に所要長に亘り貼り付ける。【００１２】次に図５に示すように手指でプッシュ操作部（３）を押してテープカッター（４）を矢印方向へ押し下げ、カム部（５）で第２ローラー（６）を第１ローラー（１）より離間せしめ、第１・第２ローラー（１）（６）間に架橋接着せるテープ部分（９ａ）の緊張状態を形成する。
この時図６に示すように、プッシュ操作部（３）を矢印方向へ更に押し下げ第１ローラー（１）と第２ローラー（６）間において緊張した両面粘着テープ（９ａ）に平板刃の刃先（１２ａ）を切り込み切断する。第２ローラー（６）はカム部の押圧により横移動端において爪車（１０）に爪（１４）が係合し回転が阻止され上記テープ部分（９ａ）の緊張を保つ。第１ローラー（１）を被接着面に押し付けつつ後退回転させ両面粘着テープ（１１）の端部を接着して被接着面へのテープ貼り付けを完了する。【００１３】図６に示すように、切断された両面粘着テープ端部（９ａ）は緊張が緩み上方向に返り縮みながら巻き込み防止棒に付着し次の貼り付け作業に備える。
【図面の簡単な説明】
【図１】          本発明の一部  断面正面図である。
【図２】          両面粘着テープ接着引き出し一部拡大の断面正面図である。
【図３】          両面粘着テープ接着引き出し初期拡大の一部断面正面図である。
【図４】          実施例を示す一部断面正面図である。
【図５】          両面粘着テープ接着引き出しテープ切断直前の一部断面正面図である。
【図６】          両面粘着テープ切断の一部断面正面図である。
【図７】          平板刃の正面図である。
【図８】          両面粘着テープ巻き込み防止の断面図である。
【符号の説明】
１：          第１ローラー
２：          板バネ
３：          プッシュ操作部
４：          テープカッター
５：          カム部
６：          第２ローラー
６ａ：        ガイドピン
６ｂ：        テープ巻き込み防止棒案内溝（図８）
７：          中間ローラー
８：          テープホルダー
８ａ：        カッターガイド
９：          両面粘着テープ
９ａ：        テープ部分
１０：        爪車
１１：        巻き出した両面粘着テープ
１２：        平板刃
１２ａ：      刃先
１２ｂ：      スリット（図７）
１３：        テープ繰り出し口
１４：        爪
１５：        ローラー移動用長孔
１７：        板バネ受け
１８：        両面粘着テープリール
１９：        テープ巻き込み防止棒押え（図８）
１９ａ：      テープ巻き込み防止棒    （  〃  ）
【図１】
2005082401.tif 000003
【図２】
2005082401.tif 000004
【図３】
2005082401.tif 000005
【図４】
2005082401.tif 000006
【図５】
2005082401.tif 000007
【図６】
2005082401.tif 000008
【図７】
2005082401.tif 000009
【図８】
2005082401.tif 000010